(57)【要約】【課題】冷却対象に対する防塵性および効率的な冷却が可能なプロジェクターを提供する。【解決手段】プロジェクターは、冷却対象が配置される密閉空間を有し、密閉空間に冷却気体を循環させることにより冷却対象を冷却する循環冷却装置５を備える。循環冷却装置５は、密閉空間内に配置され、冷却気体を冷却対象に送風する冷却ファン５３Ｇと、冷却対象を冷却した気体の熱を吸熱する吸熱部と、密閉空間内に配置され、吸熱部によって吸熱された冷却気体を密閉空間内に循環させる循環ファン５６と、を備え、密閉空間には、循環ファン５６が循環させた冷却気体を冷却ファン５３Ｇに導き、開口部７０が形成された流路７Ｇを有し、開口部７０は、冷却ファン５３Ｇの吸気口５３ｉの近傍に設けられている。【選択図】図５
2016218383.tif 000002
【特許請求の範囲】
【請求項１】
光源と、光変調装置と、を備え、画像を投写するプロジェクターであって、
冷却対象が配置される密閉空間を有し、前記密閉空間に冷却気体を循環させることにより前記冷却対象を冷却する循環冷却装置を備え、
前記循環冷却装置は、
前記密閉空間内に配置され、前記冷却気体を前記冷却対象に送風する冷却ファンと、
前記冷却対象を冷却した気体の熱を吸熱する吸熱部と、
前記密閉空間内に配置され、前記吸熱部によって吸熱された前記冷却気体を前記密閉空間内に循環させる循環ファンと、
を備え、
前記密閉空間には、前記循環ファンが循環させた前記冷却気体を前記冷却ファンに導き、開口部が形成された開口流路が設けられ、
前記開口部は、前記冷却ファンの吸気口の近傍に設けられていることを特徴とするプロジェクター。
【請求項２】
請求項１に記載のプロジェクターであって、
前記密閉空間は、前記冷却対象を収納する第１収納部と、前記冷却ファンおよび前記循環ファンが配設される第２収納部と、で形成され、
前記第２収納部内には、前記開口流路を形成するために前記第２収納部内を仕切る仕切部が設けられることを特徴とするプロジェクター。
【請求項３】
請求項２に記載のプロジェクターであって、
前記冷却ファンは、前記仕切部の一部を形成することを特徴とするプロジェクター。
【請求項４】
請求項１〜請求項３のいずれか一項に記載のプロジェクターであって、
前記冷却ファンは、複数設けられ、
前記第２収納部内には、前記循環ファンが循環させた冷却気体を複数の前記冷却ファンそれぞれに導く複数の流路が設けられ、
前記開口流路は、複数の前記冷却ファンのうち、最も送風する風量が大きい冷却ファンに冷却気体を導く流路であることを特徴とするプロジェクター。
【請求項５】
請求項１〜請求項３のいずれか一項に記載のプロジェクターであって、
前記冷却ファンは、複数設けられ、
前記第２収納部内には、前記循環ファンが循環させた冷却気体を複数の前記冷却ファンそれぞれに導く複数の流路が設けられ、
前記開口流路は、複数の前記冷却ファンのうち、前記循環ファンに最も近い位置に配置される冷却ファン以外の冷却ファンの少なくともいずれかに冷却気体を導く流路であることを特徴とするプロジェクター。
【請求項６】
請求項４または請求項５に記載のプロジェクターであって、
前記冷却対象は、緑色光用の光変調装置を含む複数の光変調装置であり、
複数の前記冷却ファンは、前記複数の光変調装置個別に冷却気体を送風し、
前記開口流路は、前記緑色光用の光変調装置に冷却気体を送風する冷却ファンに冷却気体を導く流路であることを特徴とするプロジェクター。
【請求項７】
請求項１〜請求項６のいずれか一項に記載のプロジェクターであって、
前記循環ファンは、軸流ファンであり、
前記冷却ファンは、シロッコファンであることを特徴とするプロジェクター。
【請求項８】
請求項７に記載のプロジェクターであって、
前記循環ファンおよび前記冷却ファンは、羽根の回転中心軸が略同一方向に沿うように配置されることを特徴とするプロジェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置で変調した光を投写する投写光学装置とを備え、スクリーン等の投写面に画像を投写するプロジェクターが知られている。近年、光源の高輝度化と共に、コンサート等が行われる広い会場で使用しても塵埃等による画質の劣化を抑制できるプロジェクターが求められている。そこで、光変調装置等の光学素子を防塵化して効率良く冷却するためのプロジェクターが提案されている（例えば、特許文献１参照）。
【０００３】
特許文献１に記載のプロジェクターは、複数のダクト部材、循環ファン、および熱交換器を有し、密閉構造を構成する空冷ユニットを備える。そして、冷却対象（光変調装置）は、密閉構造内に配置され、循環ファンにて循環された密閉構造内の空気によって冷却される。
【先行技術文献】
【特許文献】
【０００４】
【特許文献１】特開２００９−１３３９８８号公報
【発明の概要】
【発明が解決しようとする課題】
【０００５】
しかしながら、特許文献１に記載のプロジェクターでは、密閉構造内に空気が充分供給されずに循環ファン（第１のファンとする）の能力を充分発揮させることが難しい、すなわち、冷却対象を充分冷却することが難しいことが考えられる。そこで、密閉構造内に空気を積極的に供給するために、第１のファンに加え、第２のファンを加える構成が考えられる。しかしながら、第２のファンが供給する風量と、第１のファンが送風可能な風量とのバランスが取れずに密閉構造内の圧力分布がバラツキ、冷却効率が必ずしも向上しない恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、光変調装置と、を備え、画像を投写するプロジェクターであって、冷却対象が配置される密閉空間を有し、前記密閉空間に冷却気体を循環させることにより前記冷却対象を冷却する循環冷却装置を備え、前記循環冷却装置は、前記密閉空間内に配置され、前記冷却気体を前記冷却対象に送風する冷却ファンと、前記冷却対象を冷却した気体の熱を吸熱する吸熱部と、前記密閉空間内に配置され、前記吸熱部によって吸熱された前記冷却気体を前記密閉空間内に循環させる循環ファンと、を備え、前記密閉空間には、前記循環ファンが循環させた前記冷却気体を前記冷却ファンに導き、開口部が形成された開口流路が設けられ、前記開口部は、前記冷却ファンの吸気口の近傍に設けられていることを特徴とする。
【０００８】
この構成によれば、循環冷却装置は、密閉空間内に冷却対象を収納し、循環ファンおよび冷却ファンを備えている。そして、冷却ファンは、吸熱部で吸熱され、循環ファンによって循環する冷却気体を冷却対象に送風する。これによって、プロジェクター外部の塵埃が冷却対象（例えば、光学素子等）に付着することを防止すると共に、冷却対象を確実に冷却することができる。
また、密閉空間には、開口流路が設けられているので、循環ファンが循環させる冷却気体の風量が、冷却ファンが送風可能な風量を上まわる場合があっても、余剰となる冷却気体を開口部から開口流路外に流通させ、冷却ファンが冷却気体をスムーズに取り込んで冷却対象に送風することが可能となる。よって、循環ファンおよび冷却ファンが有する能力を充分発揮させて冷却対象を効率良く冷却することが可能となる。
したがって、塵埃の付着の抑制、および高温による冷却対象の劣化を抑制し、良好な画質の画像を長期に亘って投写可能なプロジェクターを提供することができる。また、循環ファンや冷却ファンの羽根の回転数を抑えることが可能なので、プロジェクターの低騒音化が図れる。
【０００９】
［適用例２］上記適用例に係るプロジェクターにおいて、前記密閉空間は、前記冷却対象を収納する第１収納部と、前記冷却ファンおよび前記循環ファンが配設される第２収納部と、で形成され、前記第２収納部内には、前記開口流路を形成するために前記第２収納部内を仕切る仕切部が設けられることが好ましい。
【００１０】
この構成によれば、第２収納部内に循環ファン、開口経路を形成するための仕切部、および冷却ファンが設けられているので、循環ファンから送風された冷却気体を効率的に開口経路を介して冷却ファンへ導くことができ、冷却対象を確実に冷却することができる。
【００１１】
［適用例３］上記適用例に係るプロジェクターにおいて、前記冷却ファンは、前記仕切部の一部を形成することが好ましい。
【００１２】
この構成によれば、開口流路は、冷却ファンを利用して形成されるので、第２収納部内のスペースを有効に利用して開口流路を形成することが可能となる。
【００１３】
［適用例４］上記適用例に係るプロジェクターにおいて、前記冷却ファンは、複数設けられ、前記第２収納部内には、前記循環ファンが循環させた冷却気体を複数の前記冷却ファンそれぞれに導く複数の流路が設けられ、前記開口流路は、複数の前記冷却ファンのうち、最も送風する風量が大きい冷却ファンに冷却気体を導く流路であることが好ましい。
【００１４】
この構成によれば、複数の冷却ファンのうち最も送風する風量が大きい冷却ファンに冷却気体を導く流路が開口流路なので、循環ファンが循環させた冷却気体をより効率的に開口流路に流通させ、冷却対象に送風することが可能となる。
【００１５】
［適用例５］上記適用例に係るプロジェクターにおいて、前記冷却ファンは、複数設けられ、前記第２収納部内には、前記循環ファンが循環させた冷却気体を複数の前記冷却ファンそれぞれに導く複数の流路が設けられ、前記開口流路は、複数の前記冷却ファンのうち、前記循環ファンに最も近い位置に配置される冷却ファン以外の冷却ファンの少なくともいずれかに冷却気体を導く流路であることが好ましい。
【００１６】
この構成によれば、複数の冷却ファンのうち、循環ファンに最も近い位置に配置される冷却ファン以外の冷却ファンに冷却気体を導く流路のいずれかは、開口部が形成された開口流路である。これによって、開口部が形成されていない構成において、循環ファンに最も近い位置に配置される冷却ファンへの流路に流れ易くなる冷却気体を開口流路にも充分流通させることが可能となる。よって、循環ファンに最も近い位置に配置される冷却ファンへはもとより、この冷却ファンより遠い位置に配置されている冷却ファンにも循環ファンが循環させた冷却気体を効率良く導くことが可能となる。よって、複数の冷却ファンおよび循環ファンの能力を充分発揮させて冷却対象を冷却することが可能となる。
【００１７】
［適用例６］上記適用例に係るプロジェクターにおいて、前記冷却対象は、緑色光用の光変調装置を含む複数の光変調装置であり、複数の前記冷却ファンは、前記複数の光変調装置個別に冷却気体を送風し、前記開口流路は、前記緑色光用の光変調装置に冷却気体を送風する冷却ファンに冷却気体を導く流路であることが好ましい。
【００１８】
緑色光用の光変調装置は、他の色光用の光変調装置（例えば、赤色光や青色光の光変調装置）に比べ、照射される光量が大きく、温度上昇が顕著なので、大きな風量の冷却気体の送風が望まれる。
この構成によれば、緑色光用の光変調装置用の冷却ファンに冷却気体を導く流路が開口流路なので、大きな風量の冷却気体を緑色光用の光変調装置に送風することが可能となる。
【００１９】
［適用例７］上記適用例に係るプロジェクターにおいて、前記循環ファンは、軸流ファンであり、前記冷却ファンは、シロッコファンであることが好ましい。
【００２０】
この構成によれば、循環ファンは、軸流ファンで構成されているので、第２収納部内に効率良く冷却気体を循環させることができる。そして、冷却ファンは、冷却気体の吐出圧が高いシロッコファンで構成されているので、冷却対象に向けて冷却気体を集中して送風することができる。
【００２１】
［適用例８］上記適用例に係るプロジェクターにおいて、前記循環ファンおよび前記冷却ファンは、羽根の回転中心軸が同一方向に沿うように配置されることが好ましい。
【００２２】
この構成によれば、第２収納部内に配置される循環ファンおよび冷却ファンが上述したように配置されるので、第２収納部の上述した方向の大きさを抑制することが可能となる。よって、プロジェクターの大型化を抑制して第２収納部を配置する構成が可能となる。
【図面の簡単な説明】
【００２３】
【図１】本実施形態のプロジェクターの主な構成を示す模式図。
【図２】本実施形態の循環冷却装置および放熱装置の主な構成を示すブロック図。
【図３】本実施形態の循環冷却装置における第２収納部を下方斜めから見た分解斜視図。
【図４】本実施形態の循環冷却装置における第２収納部を上方斜めから見た分解斜視図。
【図５】本実施形態の底面部を削除した状態の第２収納部を下方斜めから見た斜視図。
【図６】本実施形態における第２収納部内の冷却空気の流れを説明するためのシミュレーション結果を示す図。
【発明を実施するための形態】
【００２４】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、机上等に載置され、投写面に横長の画像を投写する横置き姿勢、および投写面に対向する側から見て、横置き姿勢から９０°回転され、投写面に縦長の画像を投写する縦置き姿勢が可能に構成されている。
【００２５】
〔プロジェクターの主な構成〕
図１は、本実施形態のプロジェクター１の主な構成を示す模式図である。
プロジェクター１は、図１に示すように、外装を構成する外装筐体２、制御部（図示省略）、照明装置３１を有する光学ユニット３、および冷却装置４を備えている。なお、図示は省略するが、外装筐体２の内部には、さらに、照明装置３１や制御部に電力を供給する電源装置等が配置されている。また、以下では、説明の便宜上、横置き姿勢のプロジェクター１において、投写面側を＋Ｙ側（前側）、投写面に対向する側からみた右側を＋Ｘ側、鉛直方向上側を＋Ｚ側として記載する。
【００２６】
外装筐体２は、詳細な説明は省略するが、複数の部材が組み合わされて構成され、外気を取り込む吸気口や、内部の暖まった空気が排出される排気口等が設けられている。
【００２７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置４の動作に関わる制御等を行う。
【００２８】
光学ユニット３は、照明装置３１から射出された光を制御部による制御の下、画像情報に応じて変調し、変調した光を投写面に投写する。
光学ユニット３は、図１に示すように、照明装置３１に加え、インテグレーター照明光学系３２、色分離光学系３３、光変調装置３４１を有する光学装置３４、投写光学装置としての投写レンズ３５、およびこれら各部材を収納する光学部品用筐体３６を備える。
【００２９】
照明装置３１は、互いに対向して配置される一対の光源装置３１Ａ，３１Ｂ、および一対の光源装置３１Ａ，３１Ｂの間に配置される反射ミラー３１Ｃを備える。
一対の光源装置３１Ａ，３１Ｂは、同様の構成を有し、放電型の光源３１１、リフレクター３１２、およびこれらを収納する光源用筐体３１３をそれぞれ備える。そして、一対の光源装置３１Ａ，３１Ｂは、反射ミラー３１Ｃに向けて光を射出する。
反射ミラー３１Ｃは、光源装置３１Ａ，３１Ｂから射出された光を同一方向（＋Ｙ方向）に反射し、インテグレーター照明光学系３２に入射させる。
【００３０】
インテグレーター照明光学系３２は、ＵＶフィルター３２１、第１レンズアレイ３２２、第２レンズアレイ３２４、偏光変換素子３２５および重畳レンズ３２６を備える。第１レンズアレイ３２２、第２レンズアレイ３２４、および重畳レンズ３２６は、光源装置３１Ａ，３１Ｂから射出された光を光変調装置３４１の表面で略均一化させる。偏光変換素子３２５は、第２レンズアレイ３２４から射出されたランダム光を光変調装置３４１で利用可能な第１の直線偏光光に揃える。
【００３１】
色分離光学系３３は、ダイクロイックミラー３３１，３３２、反射ミラー３３３〜３３６、およびリレーレンズ３３７を備え、インテグレーター照明光学系３２から射出された光を赤色光（Ｒ光）、緑色光（Ｇ光）、および青色光（Ｂ光）に分離し、光学装置３４に導く。
【００３２】
光学装置３４は、色光毎に設けられたフィールドレンズ３４０、光変調装置３４１、および色合成光学装置としてのクロスダイクロイックプリズム３４４を備える。Ｒ光、Ｇ光、Ｂ光用の光変調装置３４１を、それぞれ３４１Ｒ，３４１Ｇ，３４１Ｂとする。
【００３３】
各光変調装置３４１は、透過型の液晶パネル、液晶パネルの光入射側、光射出側にそれぞれ配置された入射側偏光板、射出側偏光板を備え、各色光を画像情報に応じて変調する。クロスダイクロイックプリズム３４４は、光変調装置３４１Ｒ，３４１Ｂにて変調されたＲ光およびＢ光を反射し、光変調装置３４１Ｇにて変調されたＧ光を透過して、３色の変調された光を合成する。
【００３４】
投写レンズ３５は、クロスダイクロイックプリズム３４４側に配置されるレンズ３５１を含む複数のレンズを有して構成され、クロスダイクロイックプリズム３４４にて合成された光を投写面上に拡大投写する。
【００３５】
冷却装置４は、循環冷却装置５、放熱装置６（図２参照）、および送風ファン４１，４２等を備える。
循環冷却装置５は、密閉空間を有し、この密閉空間内に冷却気体（本実施形態では冷却空気）を循環させ、密閉空間に配置される冷却対象としての光変調装置３４１を冷却するように構成されている。なお、冷却気体として用いる気体は、空気に限らず、ヘリウム等の気体であってもよい。
放熱装置６は、循環冷却装置５で発する熱を放熱するように構成されている。循環冷却装置５および放熱装置６について後で詳細に説明する。
【００３６】
送風ファン４１は、偏光変換素子３２５に冷却空気を送風し、送風ファン４２は、反射ミラー３１Ｃ等に冷却空気を送風する。なお、詳細な説明は省略するが、プロジェクター１内には、照明装置３１や電源装置等を冷却するためのファンや、このファンから送風された冷却空気を導くダクト部材等が配置されている。
【００３７】
〔循環冷却装置および放熱装置の構成〕
ここで循環冷却装置５および放熱装置６について詳細に説明する。
図２は、循環冷却装置５および放熱装置６の主な構成を示すブロック図である。
循環冷却装置５は、図２に示すように、第１収納部５１、第２収納部５２、冷却ファン５３、ダクト部材５４、吸熱部５５、および循環ファン５６を備える。
第１収納部５１は、詳細な図は省略するが、図１に示すように、光学部品用筐体３６、フィールドレンズ３４０、および投写レンズ３５のレンズ３５１等を用いて構成され、光学装置３４および吸熱部５５（図２参照）を収納する。なお、詳細な説明は省略するが、光変調装置３４１は、フレキシブル回路基板等で制御部と接続されており、光学部品用筐体３６には、このフレキシブル回路基板が挿通される挿通孔が設けられている。そして、フレキシブル回路基板の周囲には弾性部材等が配置され、フレキシブル回路基板と挿通孔との間に隙間が生じないように構成されている。すなわち、この弾性部材も第１収納部５１を構成する部材となる。
【００３８】
第２収納部５２は、後で詳細に説明するが、光学部品用筐体３６の下方に配置され（図１参照）、第１収納部５１とで密閉空間を形成する。この密閉空間は、第１収納部５１および第２収納部５２の外部の空気が内部に流入しにくい密閉構造として構成されている。
冷却ファン５３は、３つ設けられ（冷却ファン５３Ｒ，５３Ｇ，５３Ｂ）、第２収納部５２内、すなわち密閉空間内に配置される。
【００３９】
冷却ファン５３Ｒ，５３Ｇ，５３Ｂは、羽根の回転中心軸に沿う方向から取り込んだ冷却空気を回転接線方向に吐出するシロッコファンであり、第２収納部５２内の冷却空気をダクト部材５４を介して、第１収納部５１内の３つの光変調装置３４１個別に送風する。具体的に、冷却ファン５３Ｒは、光変調装置３４１Ｒに冷却空気を送風し、冷却ファン５３Ｇは、光変調装置３４１Ｇに冷却空気を送風する。そして、冷却ファン５３Ｂは、光変調装置３４１Ｂに冷却空気を送風する。
【００４０】
ダクト部材５４は、内部に３つの流路を有し、冷却ファン５３Ｒ，５３Ｇ，５３Ｂから吐出される冷却空気を光変調装置３４１Ｒ，３４１Ｇ，３４１Ｂにそれぞれ導くように形成されている。
【００４１】
吸熱部５５は、放熱装置６の流通管６５に接続されており、光変調装置３４１を冷却した空気の熱を吸熱し、吸熱した熱を流通管６５内の液体に伝導させる。この液体としては、水やプロピレングリコール等を例示することができる。
循環ファン５６は、軸流ファンで２つ設けられており、吸熱部５５近傍の第２収納部５２内、すなわち密閉空間内に配置される。循環ファン５６は、吸熱部５５によって吸熱された冷却空気を第２収納部５２内に循環させる。
【００４２】
放熱装置６は、タンク６１、ポンプ６２、熱交換部６３、放熱用ファン６４、および複数の流通管６５を備える。
タンク６１は、流通管６５を介して吸熱部５５およびポンプ６２と接続されており、液体を貯留し、流通管６５で接続される環状の流路にこの液体を供給する。
ポンプ６２は、流通管６５を介してタンク６１および熱交換部６３と接続されており、環状の流路に沿って液体を循環させる。
【００４３】
熱交換部６３は、詳細な説明は省略するが、受熱部、熱電変換素子としてのペルチェ素子、およびヒートシンク等を備え、流通管６５を介してポンプ６２および吸熱部５５と接続されている。熱交換部６３は、吸熱部５５が吸熱し、流通管６５内の液体に伝導された熱を受熱部が受熱し、ペルチェ素子等を介してヒートシンクに伝導させる。
放熱用ファン６４は、熱交換部６３のヒートシンクに冷却空気を送風し、発熱したヒートシンクの熱を放熱させる。
【００４４】
〔第２収納部および第２収納部内の構成〕
ここで第２収納部５２および第２収納部５２内の構成について詳細に説明する。
図３は、循環冷却装置５における第２収納部５２を下方斜めから見た分解斜視図である。図４は、循環冷却装置５における第２収納部５２を上方斜めから見た分解斜視図である。
図３、図４に示すように、第２収納部５２は、平面視矩形の箱状に形成されており、冷却ファン５３および循環ファン５６が取り付けられる取付側筐体５２Ａ、および取付側筐体５２Ａとで冷却ファン５３および循環ファン５６を収納するカバー側筐体５２Ｂを備える。
【００４５】
具体的に、第２収納部５２は、前述したように、光学部品用筐体３６（図１参照）の下方に配置されており、取付側筐体５２Ａは、Ｘ−Ｙ平面に略沿い、光学部品用筐体３６側となる上面部５２１、および上面部５２１の周縁からカバー側筐体５２Ｂに向かって突出する側面部５２２を有している。カバー側筐体５２Ｂは、上面部５２１に対向する底面部５２３、および底面部５２３の周縁から取付側筐体５２Ａに向かって突出する側面部５２４を有している。
【００４６】
２つの循環ファン５６は、図３に示すように、取付側筐体５２Ａの−Ｘ側端部近傍にＹ方向に沿って配置される（２つの循環ファン５６のうち、＋Ｙ側に配置される循環ファン５６を５６１、−Ｙ側に配置される循環ファン５６を５６２とする）。また、循環ファン５６１，５６２は、羽根の回転中心軸５６ｊが略Ｚ方向に沿うように配置される。
取付側筐体５２Ａには、図４に示すように、循環ファン５６１，５６２の羽根が露出する通気孔５２５が形成されており、この通気孔５２５の＋Ｚ側、すなわち第１収納部５１内には、吸熱部５５（図２参照）が配置される。循環ファン５６１，５６２は、この通気孔５２５から取り込んだ冷却空気を第２収納部５２に循環させる。
また、取付側筐体５２Ａには、図４に示すように、周縁部が突出し、ダクト部材５４の一部が挿通される挿通孔５２６が形成されている。この挿通孔５２６は、光学装置３４（図１参照）の下方に位置するように形成されている。
【００４７】
冷却ファン５３Ｒ，５３Ｇ，５３Ｂは、前述したようにシロッコファンであり、図３に示すように、羽根が収納され、吸気口５３ｉが形成された円柱部５３１、および円柱部５３１から突出し、吐出口（図示省略）が形成された突出部５３２を有している。
冷却ファン５３Ｒ，５３Ｇ，５３Ｂは、循環ファン５６１，５６２の＋Ｘ方向に、循環ファン５６１，５６２から近い順に冷却ファン５３Ｂ、冷却ファン５３Ｇ、冷却ファン５３Ｒで配置される。すなわち、循環ファン５６１，５６２に対し、冷却ファン５３Ｇは、冷却ファン５３Ｂより遠い位置に配置され、冷却ファン５３Ｒは、冷却ファン５３Ｇより遠い位置に配置される。
【００４８】
また、冷却ファン５３Ｒ，５３Ｇ，５３Ｂは、羽根の回転中心軸５３ｊが略Ｚ方向に沿い、吸気口５３ｉがカバー側筐体５２Ｂ側を向き、吐出口が＋Ｙ側を向いて配置される。すなわち、循環ファン５６１，５６２および冷却ファン５３Ｒ，５３Ｇ，５３Ｂは、それぞれの回転中心軸５６ｊ，５３ｊが略同一方向に沿うように配置される。
【００４９】
ダクト部材５４は、前述したように、冷却ファン５３Ｒ，５３Ｇ，５３Ｂから吐出される冷却空気を光変調装置３４１Ｒ，３４１Ｇ，３４１Ｂにそれぞれ導くように形成されている。具体的に、ダクト部材５４は、図３、図４に示すように、冷却ファン５３Ｒから吐出された冷却空気を光変調装置３４１Ｒに導く流路形成部５４Ｒ、冷却ファン５３Ｇから吐出された冷却空気を光変調装置３４１Ｇに導く流路形成部５４Ｇ、および冷却ファン５３Ｂから吐出された冷却空気を光変調装置３４１Ｂに導く流路形成部５４Ｂを有している。
【００５０】
流路形成部５４Ｒ，５４Ｇ，５４Ｂそれぞれは、図３に示すように、冷却ファン５３Ｒ，５３Ｇ，５３Ｂそれぞれの吐出口から上面部５２１に沿って延出した後、図４に示すように、取付側筐体５２Ａの挿通孔５２６内に位置するように屈曲し、光変調装置３４１Ｒ，３４１Ｇ，３４１Ｂの下方に位置するように、＋Ｚに向かって延出している。
【００５１】
図５は、底面部５２３を削除した状態の第２収納部５２を下方斜めから見た斜視図である。
第２収納部５２内、すなわち、密閉空間内には、図５に示すように、循環ファン５６が循環させた冷却空気を冷却ファン５３Ｒ，５３Ｇ，５３Ｂそれぞれに導く流路７Ｒ，７Ｇ，７Ｂが設けられている。具体的に、流路７Ｒは、冷却ファン５３Ｒに冷却空気を導く流路、流路７Ｇは、冷却ファン５３Ｇに冷却空気を導く流路、流路７Ｂは、冷却ファン５３Ｂに冷却空気を導く流路である。
【００５２】
流路７Ｒ，７Ｇ，７Ｂは、上面部５２１および底面部５２３と、第２収納部５２内に設けられた仕切部とによって第２収納部５２内が仕切られて形成されている。この仕切部としては、取付側筐体５２Ａに設けられた第１の隔壁７１、カバー側筐体５２Ｂに設けられた第２の隔壁７２、および冷却ファン５３Ｇ，５３Ｂの円柱部５３１が用いられている。
【００５３】
具体的に、第１の隔壁７１は、図５に示すように、取付側筐体５２Ａの上面部５２１から起立しており、リブ７１１，７１２，７１３，７１４を有している。
リブ７１１は、循環ファン５６１近傍の＋Ｙ側の側面部５２２から冷却ファン５３Ｂの円柱部５３１と流路形成部５４Ｂとの間に斜めに延出した後、冷却ファン５３Ｇの円柱部５３１の＋Ｙ側に位置するように屈曲して形成されている。そして、リブ７１１には、流路形成部５４Ｂ，５４Ｇが配置される部位に切欠きが形成されている。
【００５４】
リブ７１２は、＋Ｙ側の側面部５２２から離間し、循環ファン５６１の＋Ｘ側で、Ｙ方向における循環ファン５６１の略中央から冷却ファン５３Ｂの円柱部５３１まで延出している。
【００５５】
リブ７１３は、循環ファン５６２の＋Ｘ側で、Ｙ方向における循環ファン５６２の略中央から冷却ファン５３Ｇの円柱部５３１まで延出している。
リブ７１４は、冷却ファン５３Ｇの円柱部５３１を介してリブ７１３と繋がるように形成され、冷却ファン５３Ｒの−Ｘ側および＋Ｙ側を囲むように屈曲し、＋Ｘ側の側面部５２２に接続している。また、リブ７１４には、流路形成部５４Ｒが配置される部位に切欠きが形成されている。
【００５６】
第２の隔壁７２は、図４、図５に示すように、カバー側筐体５２Ｂの底面部５２３から起立しており、リブ７２５，７２６，７２７，リブ７２８を有している。
リブ７２５は、Ｚ方向においてリブ７１１および流路形成部５４Ｂ，５４Ｇに重なり、冷却ファン５３Ｂの吸気口５３ｉおよび冷却ファン５３Ｇの吸気口５３ｉの＋Ｙ側に位置して形成されている。
【００５７】
リブ７２６は、Ｚ方向においてリブ７１２および冷却ファン５３Ｂの円柱部５３１に重なり、冷却ファン５３Ｂの吸気口５３ｉの−Ｙ側を囲むように湾曲し、リブ７２５の途中に接続されている。
このように、第２収納部５２内には、リブ７１１，７１２、リブ７２５，７２６、および冷却ファン５３Ｂの円柱部５３１で仕切られた流路７Ｂが形成されている。流路７Ｂは、循環ファン５６側において、リブ７１１，７２５の端部とリブ７１２，７２６の端部との間に冷却空気の流入口を有し、この流入口から冷却ファン５３Ｂの吸気口５３ｉに向かって形成される。
【００５８】
リブ７２７は、Ｚ方向においてリブ７１３および冷却ファン５３Ｇの円柱部５３１に重なり、冷却ファン５３Ｇの吸気口５３ｉの−Ｙ側を囲むように湾曲している。
リブ７２８は、リブ７２７に接続され、Ｚ方向においてリブ７１４および流路形成部５４Ｒに重なるように形成されている。
【００５９】
このように、第２収納部５２内には、リブ７１１，７１２、７１３、リブ７２６，７２７、および冷却ファン５３Ｂ，５３Ｇそれぞれの円柱部５３１で仕切られた流路７Ｇが形成されている。流路７Ｇは、循環ファン５６側において、リブ７１２，７２６の端部とリブ７１３，７２７との間に冷却空気の流入口を有し、この流入口からから冷却ファン５３Ｇの吸気口５３ｉに向かって形成される。
【００６０】
そして、第２収納部５２内には、リブ７１３，７１４、リブ７２７，７２８および冷却ファン５３Ｇの円柱部５３１で仕切られた流路７Ｒが形成されている。流路７Ｒは、循環ファン５６側において、リブ７１３，７２７の端部と側面部５２２，５２４との間に冷却空気の流入口を有し、この流入口からから冷却ファン５３Ｒの吸気口５３ｉに向かって形成される。
【００６１】
また、流路７Ｇの流入口は、流路７Ｂ，７Ｒそれぞれの流入口より広く形成されており、冷却ファン５３Ｒ，５３Ｇ，５３Ｂのうち、冷却ファン５３Ｇの送風量が最も大きく設定することが可能に形成されている。
【００６２】
また、流路７Ｇには、図５に示すように、リブ７１１，７２５とリブ７１４，７２８との間に開口部７０が形成されている。開口部７０は、流路７Ｇを流通する冷却空気の流れる方向において、冷却ファン５３Ｇの吸気口５３ｉの下流側に設けられており、流路７Ｇは、開口部７０が形成された開口流路に相当する。なお、開口部７０を利用して冷却ファン５３Ｇのケーブルを配線することも可能である。
【００６３】
開口流路としての流路７Ｇは、冷却ファン５３Ｒ，５３Ｇ，５３Ｂのうち、最も送風する風量が大きい冷却ファン５３Ｇに冷却空気を導く流路であり、また、冷却ファン５３Ｒ，５３Ｇ，５３Ｂのうち、循環ファン５６から２番目に近い位置に配置された冷却ファン５３Ｇに冷却空気を導く流路でもある。
【００６４】
循環ファン５６が循環させた冷却空気は、流路７Ｒ，７Ｇ，７Ｂに導かれて冷却ファン５３Ｒ，５３Ｇ，５３Ｂに取り込まれ、ダクト部材５４を介して光変調装置３４１Ｒ，３４１Ｇ，３４１Ｂに送風される。そして、光変調装置３４１Ｒ，３４１Ｇ，３４１Ｂを冷却して暖まった空気は、前述したように、吸熱部５５によって吸熱され、放熱装置６によって放熱される。
【００６５】
〔第２収納部内の冷却空気の流れ〕
流路７Ｇに開口部７０が形成されていることにより、循環ファン５６が循環させた冷却空気が効率良く冷却ファン５３Ｇに導かれるように構成されている。
ここで、第２収納部５２内の冷却空気の流れについて、開口部７０が形成されていない構成と比較して説明する。
図６は、第２収納部５２内の冷却空気の流れを説明するためのシミュレーション結果を示す図である。具体的に、図６（ａ）は、開口部７０が形成され、本実施形態の第２収納部５２に模したモデルＡを用いた場合の圧力分布のシミュレーション結果を示す図、図６（ｂ）は、本実施形態とは異なる構成であり、開口部７０が形成されていない以外は、モデルＡと同じ形状のモデルＢを用いた場合の圧力分布のシミュレーション結果を示す比較図である。
【００６６】
図６（ａ）、（ｂ）に示すように、流路７Ｂ，７Ｒにおいては、モデルＡ、モデルＢともに特に圧力が高まる領域がなく、同様の圧力分布を示すが、流路７Ｇにおいては異なる分布を示す。すなわち、開口部７０が形成されていないモデルＢにおいては、図６（ｂ）に示すように、冷却ファン５３Ｇの吸気口５３ｉ近傍において圧力が高まる領域１０が発生する。この領域１０においては、循環ファン５６が循環させた冷却空気を冷却ファン５３Ｇが充分取り込むことができないため、圧力が高まるものであり、循環ファン５６が循環させた冷却空気を有効に光変調装置３４１Ｇに送風できない状態となっている。
【００６７】
一方、開口部７０が形成されたモデルＡにおいては、図６（ａ）に示すように、モデルＢで発生した圧力が高まる領域１０での圧力は小さなものとなる。これは、循環ファン５６が循環させた冷却空気のうち、冷却ファン５３Ｇとしては余剰となる冷却空気が開口部７０から流路７Ｇ外に流れることにより、冷却ファン５３Ｇが冷却空気を充分取り込むことができるためである。すなわち、開口部７０が形成されたモデルＡにおいて、冷却ファン５３Ｇは、自身が有する能力を充分発揮して循環ファン５６が循環させた冷却空気を有効に光変調装置３４１Ｇに送風する状態となっている。
このように、流路７Ｇに開口部７０が形成されていることにより、第２収納部５２内の圧力が高まる領域が抑えられ、冷却ファン５３Ｒ，５３Ｇ，５３Ｂは、循環ファン５６が循環させた冷却空気を効率良く光変調装置３４１Ｒ，３４１Ｇ，３４１Ｂに送風する。
【００６８】
以上説明したように、本実施形態によれば、以下の効果を得ることができる。
（１）光変調装置３４１は、密閉空間に配置され、循環ファン５６が循環させ、冷却ファン５３が効率良く送風する冷却空気によって冷却される。よって、光変調装置３４１への塵埃の付着の抑制、および高温による光変調装置３４１の劣化を抑制し、良好な画質の画像を長期に亘って投写可能なプロジェクター１を提供することができる。また、循環ファン５６や冷却ファン５３の羽根の回転数を抑えることが可能なので、プロジェクター１の低騒音化が図れる。
【００６９】
（２）冷却ファン５３Ｒ，５３Ｇ，５３Ｂのうち、最も送風する風量が大きい冷却ファン５３Ｇに冷却空気を導く流路７Ｇが開口流路なので、循環ファン５６が循環させた冷却空気をより効率的に流路７Ｇに流通させ、冷却対象を冷却することが可能となる。
【００７０】
（３）光変調装置３４１Ｒ，３４１Ｂより温度上昇が顕著な光変調装置３４１Ｇ用の冷却ファン５３Ｇに冷却空気を導く流路７Ｇが開口流路なので、大きな風量の冷却空気を光変調装置３４１Ｇに送風することが可能となる。
【００７１】
（４）循環ファン５６は、軸流ファンで構成されているので、第２収納部５２内に効率良く冷却空気を循環させることができる。そして、冷却ファン５３は、冷却空気の吐出圧が高いシロッコファンで構成されているので、冷却対象に向けて冷却空気を集中して送風することができる。
【００７２】
（５）循環ファン５６および冷却ファン５３は、羽根の回転中心軸５６ｊ，５３ｊが同一方向に沿うように配置されるので、第２収納部５２のＺ方向の大きさを抑制することが可能となる。よって、プロジェクター１の大型化を抑制して第２収納部５２を配置する構成が可能となる。
【００７３】
（６）流路７Ｒ，７Ｇ，７Ｂは、上面部５２１および底面部５２３と、仕切部とによって、第２収納部５２内に形成されている。よって、第２収納部５２のＺ方向の大きさを抑制してプロジェクター１の大型化を抑制することができる。
【００７４】
（７）冷却ファン５３Ｂの円柱部５３１は、流路７Ｂ，７Ｇを形成するための仕切部の一部を構成し、冷却ファン５３Ｇの円柱部５３１は、流路７Ｇ，７Ｒを形成するための仕切部の一部を構成する。これによって、第２収納部５２内のスペースを有効に利用して流路７Ｒ，７Ｇ，７Ｂを形成することが可能となる。
【００７５】
（変形例）
なお、前記実施形態は、以下のように変更してもよい。
前記実施形態の循環冷却装置５は、３つの冷却ファン５３Ｒ，５３Ｇ，５３Ｂを備えているが、これ以外の数の冷却ファンを備える構成であってもよい。同様に、前記実施形態の循環冷却装置５では、２つの循環ファン５６１，５６２を備えているが、これ以外の数の循環ファンを備える構成であってもよい。
また、前記実施形態では、３つの冷却対象（光変調装置３４１Ｒ，３４１Ｇ，３４１Ｂ）と同数の冷却ファン５３Ｒ，５３Ｇ，５３Ｂを備えているが、冷却対象の数と冷却ファンの数とが異なる構成であってもよい。
【００７６】
前記実施形態では、循環ファン５６から２番目に近い位置に配置された冷却ファン５３Ｇに冷却空気を導く流路７Ｇが開口流路として構成されているが、この構成に限らない。複数の冷却ファンのうち、循環ファンに最も近い位置に配置される冷却ファン以外の冷却ファンの少なくともいずれかに冷却空気を導く流路を開口流路として構成してもよい。
【００７７】
前記実施形態では、循環ファン５６から近い順に冷却ファン５３Ｂ、冷却ファン５３Ｇ、冷却ファン５３Ｒで配置されるように構成されているが、この構成に限らず、例えば循環ファン５６から近い順に冷却ファン５３Ｒ、冷却ファン５３Ｇ、冷却ファン５３Ｂで配置される構成であってもよい。
【００７８】
前記実施形態の循環ファン５６１，５６２および冷却ファン５３Ｒ，５３Ｇ，５３Ｂは、それぞれの回転中心軸５６ｊ，５３ｊが同一方向に沿うように配置されているが、異なる方向に沿うように配置される形態であってもよい。例えば、循環ファンの回転中心軸と冷却ファンの回転中心軸とが異なる方向に沿うように、循環ファンと冷却ファンとが配置されるように構成してもよく、複数の冷却ファンにおいて、互いの回転中心軸が異なる方向に沿うように配置される態様であってもよい。
【００７９】
前記実施形態では、光変調装置３４１を冷却対象としているが、光変調装置３４１に限らず他の部材、例えば、偏光変換素子３２５を冷却対象としてもよい。また、光学ユニット３が位相差板や、光の位相のずれを補償する補償素子等を備える構成とし、この位相差板や補償素子等を冷却対象として構成してもよい。
【００８０】
前記実施形態のプロジェクター１は、光変調装置として透過型の液晶パネルを用いているが、反射型の液晶パネルを利用したものであってもよい。
また、前記実施形態の光変調装置３４１は、Ｒ光、Ｇ光、およびＢ光に対応する３つの光変調装置３４１Ｒ，３４１Ｇ，３４１Ｂを用いるいわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【００８１】
前記実施形態のプロジェクター１は、２つの光源装置３１Ａ，３１Ｂを備えているが、これに限らず、１つあるいは３つ以上の光源装置を備えるように構成してもよい。また、光源装置は、放電型の光源３１１を用いたものに限らず、その他の方式の光源や発光ダイオード、レーザー等の固体光源を用いたものであってもよい。
【符号の説明】
【００８２】
１…プロジェクター、２…外装筐体、３…光学ユニット、４…冷却装置、５…循環冷却装置、６…放熱装置、７Ｂ，７Ｒ…流路、７Ｇ…流路（開口流路）、３１Ａ，３１Ｂ…光源装置、３１Ｃ…反射ミラー、３５…投写レンズ、３６…光学部品用筐体、５１…第１収納部、５２…第２収納部、５３，５３Ｂ，５３Ｇ，５３Ｒ…冷却ファン、５３ｉ…吸気口、５３ｊ，５６ｊ…回転中心軸、５４…ダクト部材、５５…吸熱部、５６，５６１，５６２…循環ファン、７０…開口部、７１…第１の隔壁（仕切部）、７２…第２の隔壁（仕切部）、３１１…光源、３４１，３４１Ｂ，３４１Ｇ，３４１Ｒ…光変調装置（冷却対象）、５３１…円柱部（仕切部）。
【図１】
2016218383.tif 000003
【図２】
2016218383.tif 000004
【図３】
2016218383.tif 000005
【図４】
2016218383.tif 000006
【図５】
2016218383.tif 000007
【図６】
2016218383.tif 000008